(57)【要約】【課題】組立時の位置調整を容易にしつつ動作中の放熱効率を向上することができる撮像ユニットを提供する。【解決手段】撮像ユニット１２５は、交換レンズユニット２００を装着可能なマウントユニット１５０と、マウントユニット１５０と間隔を空けて配置され光電変換により被写体の画像データを生成する撮像素子ユニット１８０と、マウントユニット１５０と撮像素子ユニット１８０との間に圧縮された状態で配置された複数のアジャストスプリング１８３と、マウントユニットと撮像素子ユニットとの間に、複数のアジャストスプリング１８３のそれぞれと同軸に、圧縮された状態で配置された充填チューブ１８２と、複数のアジャストスプリングのそれぞれと同軸に配置されマウントユニットおよび撮像素子ユニットのうち少なくとも一方に装着されマウントユニット１５０と撮像素子ユニット１８０との間の距離を調整するための複数の調整ネジ１８１と、を備える。【選択図】図６
2014168226.tif 000002
【特許請求の範囲】
【請求項１】
交換レンズユニットによって形成された被写体の光学像から画像データを生成する撮像ユニットであって、
前記交換レンズユニットを装着可能なマウントユニットと、
前記マウントユニットと間隔を空けて配置され、光電変換により前記被写体の画像データを生成する撮像素子ユニットと、
前記マウントユニットと前記撮像素子ユニットとの間に圧縮された状態で配置される複数の弾性部材と、
前記複数の弾性部材のそれぞれに対して同軸に配置され、前記マウントユニットおよび前記撮像素子ユニットのうち少なくとも一方に装着され、前記マウントユニットと前記撮像素子ユニットとの間の距離を調整する複数の調整ネジと、
少なくとも１組の前記弾性部材および前記調整ネジと同軸に配置され、前記調整ネジを締めていくと前記マウントユニットと前記撮像素子ユニットとの間に挟まれて圧縮される充填部材と、
を備えた撮像ユニット。
【請求項２】
前記充填部材は、前記弾性部材の内周側に設けられている、
請求項１に記載の撮像ユニット。
【請求項３】
前記撮像素子ユニットは、光電変換により前記被写体の光学像から画像データを生成する撮像素子と、前記撮像素子に装着されたプレート部材と、を有しており、
前記弾性部材は、前記マウントユニットと前記プレート部材との間に挟み込まれている、
請求項１および２のいずれかに記載の撮像ユニット。
【請求項４】
前記プレート部材は、前記調整ネジの頭部と前記弾性部材との間に挟み込まれている、
請求項３に記載の撮像ユニット。
【請求項５】
前記マウントユニットおよび前記撮像素子ユニットの間に設けられており、前記撮像素子ユニットへの入射光量を調整するシャッタ装置を、さらに備えた、
請求項１から４のいずれかに記載の撮像ユニット。
【発明の詳細な説明】
【技術分野】
【０００１】
ここに開示された技術は、撮像装置に用いられる撮像ユニットに関する。
【背景技術】
【０００２】
レンズ交換式の撮像装置において、ボディマウントの前面から撮像素子の受光面までの距離（フランジバック）を所定の長さに調整するための構成が知られている（例えば、特許文献１参照。）。
この調整機構は、複数の調整ネジと、複数のアジャストスプリングと、から構成されている。ボディマウントを含むマウントユニットと撮像素子を含む撮像素子ユニットとが複数の調整ネジで連結されており、両者の間にはアジャストスプリングが挟み込まれている。アジャストスプリングの弾性力により、撮像素子ユニットはネジの頭部に押し付けられている。撮像素子ユニットは、ネジを回すと、ネジの頭部に押し付けられた状態でマウントユニットに対して移動する。こうして、マウントユニットと撮像素子ユニットとの間の距離を調整することができ、フランジバックを製品組立時に調整することができる。
【先行技術文献】
【特許文献】
【０００３】
【特許文献１】特開２０１２−２１５７９６号公報
【発明の概要】
【発明が解決しようとする課題】
【０００４】
ここに開示される技術は、組立時の位置調整を容易に行うことができるとともに、撮像素子ユニットにおいて生じた熱の放熱効率を向上させることが可能な撮像ユニットを提供することを目的とする。
【課題を解決するための手段】
【０００５】
ここに開示される撮像ユニットは、交換レンズユニットによって形成された被写体の光学像から画像データを生成する撮像ユニットであって、マウントユニットと、撮像素子ユニットと、複数の弾性部材と、複数の調整ネジと、充填部材と、を備えている。マウントユニットは、交換レンズユニットを装着可能である。撮像素子ユニットは、マウントユニットと間隔を空けて配置され、光電変換により被写体の画像データを生成する。複数の弾性部材は、マウントユニットと撮像素子ユニットとの間に圧縮された状態で配置される。複数の調整ネジは、複数の弾性部材のそれぞれに対して同軸に配置され、マウントユニットおよび撮像素子ユニットのうち少なくとも一方に装着され、マウントユニットと撮像素子ユニットとの間の距離を調整する。充填部材は、少なくとも１組の弾性部材および調整ネジと同軸に配置され、調整ネジを締めていくとマウントユニットと撮像素子ユニットとの間に挟まれて圧縮される。
【発明の効果】
【０００６】
ここに開示される技術では、組立時の位置調整を容易に行うことができるとともに、動作中の放熱効率を向上させることが可能な撮像ユニットを提供することができる。
【図面の簡単な説明】
【０００７】
【図１】本開示の一実施形態に係る撮像ユニットが搭載されたデジタルカメラの斜視図。
【図２】図１のデジタルカメラのカメラ本体の斜視図。
【図３】図１のデジタルカメラのカメラ本体の背面図。
【図４】図１のデジタルカメラの制御ブロック図。
【図５】図１のデジタルカメラの概略断面図。
【図６】図１のデジタルカメラに搭載された撮像ユニットの分解斜視図。
【図７】（Ａ）は、図６の撮像ユニットの側面図。（Ｂ）は、図６の撮像ユニットの上面図。
【図８】（Ａ），（Ｂ）は、図７（Ａ）等の撮像ユニットに含まれる調整ネジ周辺の断面図。
【発明を実施するための形態】
【０００８】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、出願人は、当業者が本開示を十分に理解するために添付図面および以下の説明を提供するのであって、これらによって特許請求の範囲に記載の主題を限定することを意図するものではない。
【０００９】
（１：デジタルカメラ１）
本実施形態のデジタルカメラ１について、図面を参照しながら説明する。
図１に示すように、以下の説明では、通常姿勢（以下、横撮り姿勢ともいう）のデジタルカメラ１を基準として、被写体に向かう方向を「前方」、被写体の反対に向かう方向を「後方」、鉛直上方を「上方」、鉛直下方を「下方」、被写体に向かって右側を「右方」、被写体に向かって左側を「左方」、と表現する。交換レンズユニット２００の光軸ＡＸは、前後方向に概ね平行に配置されている。
【００１０】
同様に、以下の説明における「前」、「後」、「上」、「下」、「右」および「左」は、被写体に正対する横撮り姿勢でのデジタルカメラを基準とする方向を意味するものとする。ここで、横撮り姿勢とは、横長矩形画像の長辺方向が画像内の水平方向と概ね一致する場合におけるデジタルカメラ１の姿勢を意味している。
なお、これらの用語は、本実施の形態に係るデジタルカメラ１の使用姿勢、あるいは、デジタルカメラ１における各構成要素の配置を限定することを意図しない。
【００１１】
本実施形態のデジタルカメラ１（撮像装置の一例）は、図１に示すように、レンズ交換式のデジタルカメラであり、カメラ本体１００と、カメラ本体１００に装着可能な交換レンズユニット２００と、を備えている。
（２：カメラ本体１００）
図２、図３に示すように、カメラ本体１００（撮像装置の一例）は、撮像ユニット１２５（撮像ユニットの一例）と、カメラモニタ１２０と、操作部１３０と、を備えている。また、図４に示すように、カメラ本体１００は、カメラコントローラ１４０（駆動制御部の一例）と、電源１６０と、カードスロット１７０と、をさらに備えている。撮像ユニット１２５の詳細構成については後述する。
【００１２】
カメラモニタ１２０は、例えば、液晶ディスプレイである。カメラモニタ１２０は、表示用画像データに基づいて画像を表示する。
表示用画像データは、図４に示すカメラコントローラ１４０で生成される。表示用画像データは、例えば、画像処理された画像データ、デジタルカメラ１の撮影条件、操作メニュー等を画像として表示するためのデータである。
【００１３】
操作部１３０は、ボタン、レバー、ダイアル、タッチパネル等で構成される。操作部１３０は、カメラコントローラ１４０と接続されており、ユーザによる操作を受け付ける。
カードスロット１７０は、メモリーカード１７１を装着可能である。カードスロット１７０は、カメラコントローラ１４０から送信される制御信号に基づいて、メモリーカード１７１を制御する。具体的には、カードスロット１７０は、メモリーカード１７１に画像データ（静止画像データおよび動画像データ）を格納したり、メモリーカード１７１から画像データを出力したりできる。
【００１４】
電源１６０は、デジタルカメラ１の各部に電力を供給する。電源１６０は、例えば、乾電池であってもよいし、充電池であってもよい。また、電源１６０は、電源コード等を介して外部の電源から電力の供給を受け、デジタルカメラ１に電力を供給するユニットであってもよい。
カメラコントローラ１４０は、カメラ本体１００の各部を制御するとともに、交換レンズユニット２００がカメラ本体１００に装着されている状態ではデジタルカメラ１全体を制御する。カメラコントローラ１４０は、操作部１３０に入力された操作情報に基づいてデジタルカメラ１の各部を制御する。カメラコントローラ１４０は、交換レンズユニット２００を制御するための信号を、マウントユニット１５０およびレンズマウント２５０を介して、レンズコントローラ２４０に送信し、レンズコントローラ２４０を介して交換レンズユニット２００の各部を制御する。
【００１５】
交換レンズユニット２００は、カメラ本体１００に装着可能であり、被写体の光学像を形成する。具体的には、交換レンズユニット２００は、光学系Ｌと、レンズ筒２６０と、駆動部２１５と、レンズマウント２５０と、レンズコントローラ２４０と、を有している。
（３：交換レンズユニット２００）
光学系Ｌは、ＣＭＯＳイメージセンサ１１０の受光面に被写体の光学像を形成する。レンズ筒２６０には、レンズマウント２５０が固定されている。駆動部２１５は、光学系Ｌの絞りユニットやレンズ群を駆動する。レンズコントローラ２４０は、カメラコントローラ１４０から送信される制御信号に基づいて、交換レンズユニット２００全体を制御する。例えば、レンズコントローラ２４０は、カメラコントローラ１４０から送信される制御信号に基づいて、駆動部２１５を制御する。交換レンズユニット２００により形成される光学像は、撮像ユニット１２５に入射する。
【００１６】
（４：撮像ユニット１２５）
図５に示すように、撮像ユニット１２５は、マウントユニット１５０（マウントユニットの一例）と、撮像素子ユニット１８０（撮像素子ユニットの一例）と、フォーカルプレーンシャッタ装置１９０（シャッタ装置の一例）と、を有している。被写体側から順に、マウントユニット１５０、フォーカルプレーンシャッタ装置１９０および撮像素子ユニット１８０が配置されている。
【００１７】
マウントユニット１５０には、交換レンズユニット２００のレンズマウント２５０が装着される。
撮像素子ユニット１８０およびフォーカルプレーンシャッタ装置１９０は、マウントユニット１５０に装着されている。
フォーカルプレーンシャッタ装置１９０は、撮像素子ユニット１８０への入射光量を調整する。フォーカルプレーンシャッタ装置１９０は、撮像素子ユニット１８０の被写体側に配置されており、マウントユニット１５０と撮像素子ユニット１８０との間に配置されている。
【００１８】
なお、デジタルカメラ１は、マウントユニット１５０と撮像素子ユニット１８０との間にクイックリターンミラーを有していない、いわゆるミラーレスの一眼カメラである。
図５および図６に示すように、マウントユニット１５０は、ボディマウント１５１と、接点ユニット１５８と、マウントベース１５２と、を有している。
ボディマウント１５１には、交換レンズユニット２００のレンズマウント２５０をバヨネット結合することができる。
【００１９】
ボディマウント１５１は、金属で構成され、マウントベース１５２に固定されている。
マウントベース１５２は、金属で構成され、カメラ本体１００のメインフレーム（図示せず）に固定されている。
交換レンズユニット２００がボディマウント１５１に装着されている状態では、交換レンズユニット２００は、マウントユニット１５０によって支持される。
【００２０】
接点ユニット１５８は、樹脂で構成され、図６に示すように、複数の接点１５９を有しており、例えば、マウントベース１５２に固定されている。レンズマウント２５０がマウントユニット１５０に装着されている状態では、カメラ本体１００と交換レンズユニット２００とは、電気的に接続されている。
具体的には、図５に示すように、レンズマウント２５０がマウントユニット１５０に装着されている状態では、接点ユニット１５８の接点１５９が、交換レンズユニット２００の接点２５１と接触している。したがって、カメラ本体１００は、接点ユニット１５８を介して交換レンズユニット２００とデータおよび制御信号のうち少なくとも一方を送受信できる。
【００２１】
図６に示すように、ボディマウント１５１、接点ユニット１５８およびマウントベース１５２は、それぞれ開口を有している。そして、これらの開口を通ってフォーカルプレーンシャッタ装置１９０および撮像素子ユニット１８０に光が入射する。
図５に示すように、撮像素子ユニット１８０は、ＣＭＯＳ（Complementary Metal Oxide Semiconductor）イメージセンサ１１０（撮像素子の一例）と、ＣＭＯＳ回路基板１１３と、放熱板１８６（プレート部材の一例）と、を有している。
【００２２】
ＣＭＯＳイメージセンサ１１０は、交換レンズユニット２００によって形成される被写体の光学像（以下、被写体像ともいう）から光電変換により画像データを生成する。ＣＭＯＳイメージセンサ１１０の各光電変換素子に蓄積された電荷を読み出すことで被写体の画像データが生成される。図４に示すように、ＣＭＯＳイメージセンサ１１０から読み出された画像データは、ＣＭＯＳ回路基板１１３のＡＤコンバータ１１１でデジタル化される。
【００２３】
ＡＤコンバータ１１１でデジタル化された画像データは、カメラコントローラ１４０において様々な画像処理が施される。ここで、様々な画像処理とは、例えば、ガンマ補正処理、ホワイトバランス補正処理、キズ補正処理、ＹＣ変換処理、電子ズーム処理、ＪＰＥＧ圧縮処理である。
ＣＭＯＳイメージセンサ１１０（撮像素子の一例）は、ＣＭＯＳ回路基板１１３のタイミング発生器１１２で生成されるタイミング信号に基づいて動作する。ＣＭＯＳイメージセンサ１１０は、ＣＭＯＳ回路基板１１３の制御により、静止画データおよび動画データを取得する。ＣＭＯＳイメージセンサ１１０において取得された動画データは、スルー画像の表示にも用いられる。
【００２４】
ここで、スルー画像とは、動画データのうちメモリーカード１７１に記録されない画像であり、ライブビュー表示における被写体のリアルタイム画像を意味している。スルー画像は、主に動画像であり、動画像または静止画像の構図を決めるためにカメラモニタ１２０にリアルタイム表示される。
ＣＭＯＳイメージセンサ１１０は、スルー画像として用いられる低解像度の動画像と、記録用として用いられる高解像度の動画像とを取得可能である。高解像度の動画像としては、例えば、ＨＤサイズ（ハイビジョンサイズ：１９２０×１０８０画素）の動画像が考えられる。
【００２５】
ＣＭＯＳ回路基板１１３は、ＣＭＯＳイメージセンサ１１０を制御する。ＣＭＯＳ回路基板１１３は、ＣＭＯＳイメージセンサ１１０から出力される画像データに所定の処理を施す回路基板であり、図４に示すように、タイミング発生器１１２およびＡＤコンバータ１１１を含む。ＣＭＯＳ回路基板１１３は、撮像素子を制御する駆動制御部に含まれる。
図６に示す放熱板１８６（プレート部材の一例）は、金属等の熱伝導率の高い材質で構成されている。放熱板１８６は、ＣＭＯＳイメージセンサ１１０において発生する熱を逃がすために設けられており、ＣＭＯＳイメージセンサ１１０に接続されている。より詳細には、放熱板１８６は、マウントユニット１５０に装着され、マウントユニット１５０と隙間を介して配置されている（例えば、図７（Ａ）および図７（Ｂ）参照）。放熱板１８６の詳細については後述する。
【００２６】
図６に示すように、フォーカルプレーンシャッタ装置１９０（シャッタ装置の一例）は、ＣＭＯＳイメージセンサ１１０の前側（被写体側）に配置されており、ＣＭＯＳイメージセンサ１１０の露光を制御する。フォーカルプレーンシャッタ装置１９０は、ＣＭＯＳイメージセンサ１１０に光が入射する開状態と、ＣＭＯＳイメージセンサ１１０に入射する光を遮断する閉状態と、を切り替える。
【００２７】
（５：撮像ユニット１２５の詳細構成）
ここで、撮像ユニット１２５の詳細構成について説明する。
例えば、撮像素子ユニット１８０がネジによってマウントユニット１５０に装着された構成は、取付構造としてシンプルになるという点で好ましい。
しかし、マウントユニット１５０および撮像素子ユニット１８０の各部材の寸法誤差を考慮すると、撮像素子ユニット１８０をマウントユニット１５０に単に装着しただけでは製品ごとにフランジバックがばらついてしまうおそれがある。
【００２８】
そこで、カメラ本体１００では、マウントユニット１５０と撮像素子ユニット１８０との間の距離を調整可能な構造を備えている。
具体的には、図６に示すように、撮像素子ユニット１８０は、３つの調整ネジ１８１および３つのアジャストスプリング１８３（弾性部材の一例）によって、マウントユニット１５０に装着されている。本実施形態では、３つの調整ネジ１８１および３つのアジャストスプリング１８３を用いて、撮像素子ユニット１８０の放熱板１８６の部分が、マウントユニット１５０のマウントベース１５２に装着される。
【００２９】
図７（Ａ）および図７（Ｂ）に示すように、３つのアジャストスプリング１８３（弾性部材の一例）は、マウントユニット１５０と撮像素子ユニット１８０との間に圧縮された状態で配置されている。
より具体的には、撮像素子ユニット１８０の放熱板１８６は、撮像素子ユニット１８０の上部から突出する３つのフランジ１８５を有している。アジャストスプリング１８３は、マウントユニット１５０のマウントベース１５２と放熱板１８６のフランジ１８５との間に圧縮された状態で配置されている。これにより、撮像素子ユニット１８０は、アジャストスプリング１８３の弾性力によって、マウントユニット１５０に対して離間する方向へ力を受けている。
【００３０】
３つの調整ネジ１８１（調整ネジの一例）は、マウントユニット１５０と撮像素子ユニット１８０との間の距離を調整するために設けられている。すなわち、上記アジャストスプリング１８３の弾性力は、調整ネジ１８１がマウントユニット１５０にねじ込まれることにより、放熱板１８６のフランジ１８５の面において受け止められる。これにより、マウントユニット１５０と撮像素子ユニット１８０との間の距離を保持することができる。
【００３１】
３つの充填チューブ１８２（充填部材の一例）は、シリコンゴムやエラストマー等の弾性材料を用いて管状に形成されている。充填チューブ１８２は、アジャストスプリング１８３の内周側に、アジャストスプリング１８３と同軸になるように配置されている。さらに、充填チューブ１８２は、管状の内周側に調整ネジ１８１が挿入された状態で取り付けられる。
【００３２】
これにより、調整ネジ１８１をマウントベース１５２にねじ込んでいくと、充填チューブ１８２は、マウントユニット１５０のマウントベース１５２と放熱板１８６のフランジ１８５との間に挟まれて圧縮される。
なお、充填チューブ１８２は、熱伝導性を向上させるため、シリコンゴムやエラストマーをベースとして、炭素繊維等を混合したものを用いてもよい。
【００３３】
また、充填チューブ１８２は、少なくとも１組の調整ネジ１８１およびアジャストスプリング１８３に対して設けられていればよい。
図８（Ａ）および図８（Ｂ）に示すように、調整ネジ１８１は、マウントユニット１５０のマウントベース１５２にねじ込まれる。調整ネジ１８１は、マウントユニット１５０にねじ込まれるネジ部１８１ａと、ネジ部１８１ａの端部に形成された頭部１８１ｂと、ネジ部１８１ａと頭部１８１ｂとを接続する径大部１８１ｃと、を有している。
【００３４】
ネジ部１８１ａは、外周面にネジ溝が形成されており、放熱板１８６のフランジ１８５に形成された貫通孔１８５ａに挿入され、後述するマウントベース１５２のボス部１５３に形成されたネジ孔１５３ａに螺合する。
頭部１８１ｂは、調整ネジ１８１の上端に設けられ径大部１８１ｃの外周面から径方向外側に向かって延伸するフランジ状の部分であって、上面に工具等の先端が挿入されて回転する窪みが形成されている。また、頭部１８１ｂは、図８（Ｂ）等に示すように、組立て状態において、上記窪みが形成された面とは反対側の面において、放熱板１８６のフランジ１８５に当接する。換言すれば、撮像素子ユニット１８０の放熱板１８６（より詳細には、フランジ１８５）は、調整ネジ１８１の頭部１８１ｂのネジ部１８１ａ側の面と当接している。
【００３５】
径大部１８１ｃは、ネジ部１８１ａよりも径が大きくなるように形成されており、調整ネジ１８１は段付きネジとして使用される。そして、径大部１８１ｃは、ボス部１５３の筒状の部分の内周面の内径とほぼ同等の外径を有している。
ここで、調整ネジ１８１は、上述したように、撮像素子ユニット１８０とマウントユニット１５０との間の隙間の大きさを調整するための設けられているため、ネジ部１８１ａを完全にネジ孔１５３ａ内へと螺合させた締結状態とはなりにくい。
【００３６】
この場合、調整ネジ１８１のネジ部１８１ａとボス部１５３のネジ孔１５３ａとの間に隙間があるため、ボス部１５３に対する調整ネジ１８１の上下・左右方向における位置が不安定になるおそれがある。
本実施形態の撮像ユニット１２５では、径大部１８１ｃがボス部１５３の筒状の部分の内周面の内径とほぼ同等の外径を有している。
【００３７】
これにより、調整ネジ１８１のネジ部１８１ａとボス部１５３のネジ孔１５３ａとが螺合した状態において、ネジ部分のがたつきが生じた場合でも、径大部１８１ｃがボス部１５３の内周面にきっちり嵌り込むことで、上下・左右方向における調整ネジ１８１の位置合わせを実施することができる。
図８（Ａ）および図８（Ｂ）に示すように、マウントベース１５２は、撮像素子ユニット１８０が取り付けられる側に突出する３つのボス部１５３を有している。それぞれのボス部１５３には、撮像素子ユニット１８０が取り付けられる方向に沿って、ネジ孔１５３ａが形成されている。調整ネジ１８１のネジ部１８１ａは、ボス部１５３のネジ孔１５３ａにねじ込まれる。また、ボス部１５３は、アジャストスプリング１８３の内周側に、アジャストスプリング１８３および充填チューブ１８２と同軸になるように挿入されている。マウントベース１５２上に形成されたボス部１５３は、上下および左右方向におけるアジャストスプリング１８３の位置決めを行う。
【００３８】
図８（Ａ）および図８（Ｂ）に示すように、アジャストスプリング１８３は、その弾性力によって、放熱板１８６のフランジ１８５を調整ネジ１８１の頭部１８１ｂに押し付ける。このため、調整ネジ１８１およびアジャストスプリング１８３によって、マウントユニット１５０に対する撮像素子ユニット１８０の前後方向における位置決めが行われる。
さらに、管状の３つの充填チューブ１８２は、フランジ１８５とマウントベース１５２との間に調整ネジ１８１およびアジャストスプリング１８３と同軸になるように装着されている（図６参照）。
【００３９】
図８（Ａ）は、調整ネジ１８１がマウントベース１５２にねじ込まれる前の状態を示している。充填チューブ１８２は、調整ネジ１８１が挿入される内径部１８２ａと、アジャストスプリング１８３の内周側に挿入される外径部１８２ｂと、を有している。充填チューブ１８２は、上述したように、調整ネジ１８１およびアジャストスプリング１８３のそれぞれに対して同軸になるように配置されている。
【００４０】
図８（Ｂ）は、調整ネジ１８１をマウントベース１５２にねじ込んだ後の状態を示している。調整ネジ１８１をねじ込んでいくと、フランジ１８５とボス部１５３との間の距離が小さくなることにより、充填チューブ１８２は、圧縮変形して、内径が縮小すると共に外径が増加する。
図８（Ｂ）に示す状態では、充填チューブ１８２の内径部１８２ａがネジ部１８１ａに密着し、かつ充填チューブ１８２の外径部１８２ｂがアジャストスプリング１８３の凹凸形状に沿って密着する。このように、調整ネジ１８１をねじ込んだ状態では、調整ネジ１８１とアジャストスプリング１８３との間の空間を充填チューブ１８２が充填した状態となる。このため、充填チューブ１８２がネジ部１８１およびアジャストスプリング１８３に対して接触する面積が増加するため、充填チューブ１８２を介して効率よく熱を伝達することができる。この結果、ＣＭＯＳイメージセンサ１１０において発生する熱を、効率よくマウントユニット１５０側へと伝えることができる。
【００４１】
すなわち、充填チューブ１８２のない従来の構成と比較して、ＣＭＯＳイメージセンサ１１０により発生する熱を、調整ネジ１８１、充填チューブ１８２、およびアジャストスプリング１８３を介して、マウントユニット１５０に効率良く伝えることができる。
より詳細には、アジャストスプリング１８３の内周側に挿入された充填チューブ１８２は、調整ネジ１８１をねじ込んでいくと、図８（Ｂ）に示すように、その後ろ側の端部において、撮像素子ユニット１８０の放熱板１８６のフランジ１８５の面に対して当接する。そして、充填チューブ１８２における前側の端部は、マウントベース１５２上に立設されたボス部１５３の端部に当接している。さらに、調整ネジ１８１をボス部５３にねじ込んだ状態では、上述したように、充填チューブ１８２が内径側および外径側に膨張した状態となって、充填チューブ１８２の調整ネジ１８１やアジャストスプリング１８３に対する接触面積が増大する。
【００４２】
これにより、撮像素子ユニット１８０側において生じた熱は、放熱板１８６、充填チューブ１８２、アジャストスプリング１８３、調整ネジ１８１およびマウントベース１５２のボス部１５３を介して、効率よくマウントユニット１５０側へと伝達される。
（６：デジタルカメラ１の主な特徴）
撮像素子が動作しているときに発生する熱は、撮像素子ユニットからネジおよびコイルバネを介してマウントユニットに放熱される。しかしながら、ネジとコイルバネとは主に点で接触していることから、撮像素子ユニットで生じた熱をネジおよびコイルバネを介してマウントユニットへ効率よく伝達するという観点からは十分とは言い難い。特に、撮像素子の発熱量が多い場合には、十分な放熱が行われないおそれがあった。
【００４３】
本実施形態のデジタルカメラ１の撮像ユニット１２５では、組立時において、マウントユニット１５０と撮像素子ユニット１８０とが、調整ネジ１８１、アジャストスプリング１８３および充填チューブ１８２を介して熱的に接続される。
このため、マウントユニット１５０と撮像素子ユニット１８０とが調整ネジ１８１およびアジャストスプリング１８３のみで接続される従来の構成と比較して、撮像素子ユニット１８０において発生した熱がより効率よくマウントユニット１５０に伝達され、動作中の放熱効率を向上させることができる。
【００４４】
また、充填チューブ１８２は、弾性材料によって形成されているため、組立時の調整を阻害することがない。また、調整ネジ１８１をねじ込んだ状態では、調整ネジ１８１と充填チューブ１８２とが密着すると共に、アジャストスプリング１８３を構成するらせん状の巻き線の間に充填チューブ１８２が入り込み、巻き線間の熱が充填チューブ１８２を介してマウントユニットに向けてまっすぐ伝達される。
【００４５】
よって、アジャストスプリング１８３の巻き線のみをらせん状に伝達されるよりも、熱が撮像素子ユニット１８０からマウントユニット１５０へ伝わりやすくなるため、より放熱効率を向上させることができる。
また、本実施形態の撮像ユニット１２５では、充填チューブ１８２がアジャストスプリング１８３の内周側に配置されている。
【００４６】
これにより、調整ネジ１８１をねじ込んでいくと、放熱板１８６のフランジ１８５とマウントベース１５２のボス部１５３との間に挟まれて圧縮された充填チューブ１８２が内径側および外径側へと膨張する。このとき、充填チューブ１８２のアジャストスプリング１８３および調整ネジ１８１に対する接触面積は増大する。このため、撮像素子ユニット１８０において生じた熱を、より効率よくマウントユニット１５０へ伝達することができる。
【００４７】
さらに、本実施形態の撮像ユニット１２５では、フォーカルプレーンシャッタ装置１９０が、熱が伝達される撮像素子ユニット１８０とマウントユニット１５０との間に挟まれるように配置されている。
ここで、撮像素子ユニット１８０において生じた熱は、撮像素子ユニット１８０の端部に配置された放熱板１８６のフランジ１８５から、調整ネジ１８１、充填チューブ１８２、アジャストスプリング１８３等を介して、マウントベース１５２のボス部１５３へと伝達される。
【００４８】
すなわち、撮像素子ユニット１８０からマウントユニット１５０への熱の伝達ルートは、撮像素子ユニット１８０の外縁部の一部からマウントユニット１５０の外縁部の一部へと設けられている。このため、撮像素子ユニット１８０とマウントユニット１５０との間に挟まれるように配置されたフォーカルプレーンシャッタ装置１９０が、熱の影響を受けることを防止することができる。
【００４９】
（７：他の実施形態）
本開示は、前述の実施形態に限られず、本開示の趣旨を逸脱しない範囲で種々の修正および変更が可能である。
（Ａ）
前述の実施形態では、ＣＭＯＳイメージセンサ１１０を例として挙げて、本技術の撮像素子について説明した。しかし、本技術における撮像素子は、上記実施形態で説明したＣＭＯＳイメージセンサ１１０に限定されない。
例えば、撮像素子は、ＣＣＤ（Charge-Coupled Device）イメージセンサなどの、光電変換により被写体の画像データを生成できる構成であればよい。
【００５０】
（Ｂ）
前述の実施形態では、マウントユニット１５０を例として挙げて、本技術のマウントユニットについて説明した。しかし、本技術のマウントユニットは、上記実施形態で説明したマウントユニット１５０に限定されない。
例えば、マウントユニットは、交換レンズユニット２００を装着可能であれば、一体形成された部材であってもよい。
【００５１】
（Ｃ）
前述の実施形態では、アジャストスプリング１８３の内周側に充填チューブ１８２を配置した構成について説明した。しかし、本技術では、アジャストスプリング１８３と充填チューブ１８２との位置関係は、上記実施形態で説明した内容に限定されない。
例えば、アジャストスプリング１８３の外周側に充填チューブ１８２を同軸状に配置してもよい。この場合には、調整ネジ１８１をねじ込んだ状態において、アジャストスプリング１８３の外周側からせん状の巻き線の間に充填チューブ１８２が入り込む。この結果、上記実施形態と同様の効果を得ることができる。
要するに、本技術においては、アジャストスプリング１８３および充填チューブ１８２が同軸状となるように配置されていればよい。
【００５２】
（Ｄ）
前述の実施形態では、ボス部１５３の後ろ側に充填チューブ１８２が配置される構成について説明した。しかし、本技術では、ボス部１５３と充填チューブ１８２の位置関係は上記実施形態で説明した内容には限定されない。
例えば、ボス部１５３の外周側、かつアジャストスプリング１８３の内周側に充填チューブ１８２を配置して、これら３つの部材が同軸となるように配置されてもよい。
【００５３】
要するに、本技術では、調整ネジ１８１、アジャストスプリング１８３および充填チューブ１８２の３つの部品が同軸となるように配置されていればよい。
以上のように、添付図面および詳細な説明によって、出願人がベストモードと考える実施の形態と他の実施の形態とを提供した。これらは、特定の実施の形態を参照することにより、当業者に対して、特許請求の範囲に記載の主題を例証するために提供されるものである。したがって、添付図面および詳細な説明に記載された構成要素の中には、課題解決のために必須な構成要素だけでなく、それ以外の構成要素も含まれ得る。そのため、それらの必須ではない構成要素が添付図面や詳細な説明に記載されているからといって、直ちにそれらの必須ではない構成要素が必須であるとの認定を受けるべきではない。また、特許請求の範囲またはその均等の範囲において、上述の実施の形態に対して、種々の変更、置き換え、付加、省略などを行うことができる。
【産業上の利用可能性】
【００５４】
本技術は、撮像装置に用いられる撮像ユニットに広く適用可能である。
【符号の説明】
【００５５】
１      デジタルカメラ
１００      カメラ本体
１２５      撮像ユニット（撮像ユニットの一例）
１５０      マウントユニット（マウントユニットの一例）
１８０      撮像素子ユニット（撮像素子ユニットの一例）
１８１      調整ネジ（調整ネジの一例）
１８１ａ    ネジ部
１８１ｂ    頭部
１８１ｃ    径大部
１８２      充填チューブ（充填部材の一例）
１８３      アジャストスプリング（弾性部材の一例）
１８６      放熱板（プレート部材の一例）
１９０      フォーカルプレーンシャッタ装置（シャッタ装置の一例）
２００      交換レンズユニット
【図１】
2014168226.tif 000003
【図２】
2014168226.tif 000004
【図３】
2014168226.tif 000005
【図４】
2014168226.tif 000006
【図５】
2014168226.tif 000007
【図６】
2014168226.tif 000008
【図７】
2014168226.tif 000009
【図８】
2014168226.tif 000010